(57)【特許請求の範囲】
【請求項１】
記録手段に記録された動画像情報と該動画像情報に同期して記録された音声情報とを編集する動画編集装置において、
上記動画像情報に対応した画像を表示する表示手段と、
上記編集の開始位置と上記編集の終了位置とをそれぞれ指示するための指示手段と、
上記音声情報における上記編集の開始位置の音声レベルを検出する第１の音声レベル検出手段と、
上記音声情報における上記編集の終了位置の音声レベルを検出する第２の音声レベル検出手段と、
上記第１の音声レベル検出手段で検出された上記編集の開始位置の音声レベルと上記第２の音声レベル検出手段で検出された上記編集の終了位置の音声レベルとを比較して差を出力する比較手段と、
上記比較手段で出力された差が所定範囲を超える場合に上記編集によって上記音声情報の接続が悪くなる旨を告知する告知表示を上記動画像情報に合成する又は上記比較手段で出力された差が上記所定範囲内である場合に上記編集によって上記音声情報の接続が悪くならない旨を告知する告知表示を上記動画像情報に合成する告知合成手段と、
上記告知表示が合成された動画像情報に対応した画像を上記表示手段に表示させる制御手段と、
を具備することを特徴とする動画編集装置。
【請求項２】
上記音声情報を表示情報に変換する音声変換手段と、
上記指示手段により指示された上記編集の開始位置と上記編集の終了位置のそれぞれの前後の音声情報を、上記音声変換手段により表示情報に変換して上記動画像情報に合成する音声表示合成手段と、
をさらに具備し、
上記制御手段は、上記表示情報がさらに合成された動画像情報に対応した画像を上記表示手段に表示させることを特徴とする請求項１に記載の動画編集装置。
【請求項３】
上記第１の音声レベル検出手段により検出された上記編集の開始位置の音声レベルを記憶する第１の音声レベル記憶手段をさらに具備し、
上記音声表示合成手段は、上記第１の音声レベル記憶手段に記憶された上記編集の開始位置の音声レベルを示すレベル表示を上記動画像情報にさらに合成することを特徴とする請求項２に記載の動画編集装置。
【請求項４】
上記表示手段には、上記動画像情報及び上記音声情報の経過時間を示す時間軸が表示され、
上記指示手段は、上記時間軸上で指定された位置を上記編集の開始位置又は上記編集の終了位置として指示することを特徴とする請求項３に記載の動画編集装置。
【請求項５】
撮影により得られた動画像情報と該動画像情報に同期して記録された音声情報とを編集する撮影装置において、
上記動画像情報に対応した画像を表示する表示手段と、
上記編集の開始位置と上記編集の終了位置とをそれぞれ指示するための指示手段と、
上記音声情報における上記編集の開始位置の音声レベルを検出する第１の音声レベル検出手段と、
上記音声情報における上記編集の終了位置の音声レベルを検出する第２の音声レベル検出手段と、
上記第１の音声レベル検出手段で検出された上記編集の開始位置の音声レベルと上記第２の音声レベル検出手段で検出された上記編集の終了位置の音声レベルとを比較して差を出力する比較手段と、
上記比較手段で出力された差が所定範囲を超える場合に上記編集によって上記音声情報の接続が悪くなる旨を告知する告知表示を上記動画像情報に合成する又は上記比較手段で出力された差が上記所定範囲内である場合に上記編集によって上記音声情報の接続が悪くならない旨を告知する告知表示を上記動画像情報に合成する告知合成手段と、
上記告知表示が合成された動画像情報を上記表示手段に表示させる制御手段と、
を具備することを特徴とする撮影装置。
【請求項６】
記録手段に記録された動画像情報と該動画像情報に同期して記録された音声情報とを編集する動画編集装置において、
上記動画像情報に対応した画像を表示する表示手段と、
上記編集の開始位置と上記編集の終了位置とをそれぞれ指示するための指示手段と、
上記音声情報における上記編集の開始位置の音声レベルを検出する第１の音声レベル検出手段と、
上記音声情報における上記編集の終了位置の音声レベルを検出する第２の音声レベル検出手段と、
上記第１の音声レベル検出手段で検出された上記編集の開始位置の音声レベルと所定音声レベルとを比較して差を出力する第１の比較手段と、
上記第２の音声レベル検出手段で検出された上記編集の終了位置の音声レベルと上記所定音声レベルとを比較して差を出力する第２の比較手段と、
上記第１の比較手段で出力された差と上記第２の比較手段で出力された差の少なくとも何れかが所定範囲を超える場合に上記編集によって上記音声情報の接続が悪くなる旨を告知する告知表示を上記動画像情報に合成する又は上記第１の比較手段で出力された差と上記第２の比較手段で出力された差の両方が上記所定範囲内である場合に上記編集によって上記音声情報の接続が悪くならない旨を告知する告知表示を上記動画像情報に合成する告知合成手段と、
上記告知表示が合成された動画像情報に対応した画像を上記表示手段に表示させる制御手段と、
を具備することを特徴とする動画編集装置。
【請求項７】
上記音声情報を表示情報に変換する音声変換手段と、
上記指示手段により指示された上記編集の開始位置と上記編集の終了位置のそれぞれの前後の音声情報を、上記音声変換手段により表示情報に変換して上記動画像情報に合成する音声表示合成手段と、
をさらに具備し、
上記制御手段は、上記表示情報がさらに合成された動画像情報に対応した画像を上記表示手段に表示させることを特徴とする請求項６に記載の動画編集装置。
【請求項８】
上記音声表示合成手段は、上記所定音声レベルを示すレベル表示を上記動画像情報にさらに合成することを特徴とする請求項７に記載の動画編集装置。
【請求項９】
上記表示手段には、上記動画像情報及び上記音声情報の経過時間を示す時間軸が表示され、
上記指示手段は、上記時間軸上で指定された位置を上記編集の開始位置又は上記編集の終了位置として指示することを特徴とする請求項８に記載の動画編集装置。
【請求項１０】
撮影により得られた動画像情報と該動画像情報に同期して記録された音声情報とを編集する撮影装置において、
上記動画像情報に対応した画像を表示する表示手段と、
上記編集の開始位置と上記編集の終了位置とをそれぞれ指示するための指示手段と、
上記音声情報における上記編集の開始位置の音声レベルを検出する第１の音声レベル検出手段と、
上記音声情報における上記編集の終了位置の音声レベルを検出する第２の音声レベル検出手段と、
上記第１の音声レベル検出手段で検出された上記編集の開始位置の音声レベルと所定音声レベルとを比較して差を出力する第１の比較手段と、
上記第２の音声レベル検出手段で検出された上記編集の終了位置の音声レベルと上記所定音声レベルとを比較して差を出力する第２の比較手段と、
上記第１の比較手段で出力された差と上記第２の比較手段で出力された差の少なくとも何れかが所定範囲を超える場合に上記編集によって上記音声情報の接続が悪くなる旨を告知する告知表示を上記動画像情報に合成する又は上記第１の比較手段で出力された差と上記第２の比較手段で出力された差の両方が上記所定範囲内である場合に上記編集によって上記音声情報の接続が悪くならない旨を告知する告知表示を上記動画像情報に合成する告知合成手段と、
上記告知表示が合成された動画像情報に対応した画像を上記表示手段に表示させる制御手段と、
を具備することを特徴とする撮影装置。
【請求項１１】
記録手段に記録された動画像情報と該動画像情報に同期して記録された音声情報とを編集する動画編集方法であって、
上記動画像情報に対応した画像を表示手段に表示することと、
上記編集の開始位置の指示を受けて上記音声情報における上記編集の開始位置の音声レベルを検出することと、
上記編集の終了位置の指示を受けて上記音声情報における上記編集の終了位置の音声レベルを検出することと、
上記検出された上記編集の開始位置の音声レベルと上記検出された上記編集の終了位置の音声レベルとを比較して差を出力することと、
上記出力された差が所定範囲を超える場合に上記編集によって上記音声情報の接続が悪くなる旨を告知する告知表示を上記動画像情報に合成する又は上記出力された差が上記所定範囲内である場合に上記編集によって上記音声情報の接続が悪くならない旨を告知する告知表示を上記動画像情報に合成することと、
上記告知表示が合成された動画像情報に対応した画像を上記表示手段に表示させることと、
を具備することを特徴とする動画編集方法。
【請求項１２】
記録手段に記録された動画像情報と該動画像情報に同期して記録された音声情報とを編集する動画編集プログラムであって、
上記動画像情報に対応した画像を表示手段に表示することと、
上記編集の開始位置の指示を受けて上記音声情報における上記編集の開始位置の音声レベルを検出することと、
上記編集の終了位置の指示を受けて上記音声情報における上記編集の終了位置の音声レベルを検出することと、
上記検出された上記編集の開始位置の音声レベルと上記検出された上記編集の終了位置の音声レベルとを比較して差を出力することと、
上記出力された差が所定範囲を超える場合に上記編集によって上記音声情報の接続が悪くなる旨を告知する告知表示を上記動画像情報に合成する又は上記出力された差が上記所定範囲内である場合に上記編集によって上記音声情報の接続が悪くならない旨を告知する告知表示を上記動画像情報に合成することと、
上記告知表示が合成された動画像情報に対応した画像を上記表示手段に表示させることと、
をコンピュータに実行させるための動画編集プログラム。
【発明の詳細な説明】
【技術分野】
【０００１】
本発明は、動画編集装置、動画編集装置を有する撮影装置、動画編集方法及び動画編集プログラムに関する。
【背景技術】
【０００２】
近年、動画編集機能をデジタルカメラ等の撮影装置に持たせたものが知られている。例えば、特許文献１においては、動画像の編集をデジタルカメラに設けられた表示部上で行えるよう、動画像を表示部に表示させつつ、動画像中の編集点をボタン操作によって選択できるようにしている。そして、特許文献１では、編集点を基準にして動画像の消去、分割、連結等の編集作業を行えるようにしている。
【先行技術文献】
【特許文献】
【０００３】
【特許文献１】特開平１１−２７５５１２号公報
【発明の概要】
【発明が解決しようとする課題】
【０００４】
編集点を基準にして動画像の一部を削除したり、連結したりする場合、編集点の前後の音声レベルが異なっていると、動画像の再生時に編集点の付近で不意に音量が変化する。このような動画像を視聴した場合、動画像の視聴者が違和感を覚える可能性が高い。
【０００５】
本発明は、上記の事情に鑑みてなされたもので、視聴者が違和感を覚えないように動画像を編集可能な動画編集装置、撮影装置、動画編集方法及び動画編集プログラムを提供することを目的とする。
【課題を解決するための手段】
【０００６】
上記の目的を達成するために、本発明の第１の態様の動画編集装置は、記録手段に記録された動画像情報と該動画像情報に同期して記録された音声情報とを編集する動画編集装置において、上記動画像情報に対応した画像を表示する表示手段と、上記編集の開始位置と上記編集の終了位置とをそれぞれ指示するための指示手段と、上記音声情報における上記編集の開始位置の音声レベルを検出する第１の音声レベル検出手段と、上記音声情報における上記編集の終了位置の音声レベルを検出する第２の音声レベル検出手段と、上記第１の音声レベル検出手段で検出された上記編集の開始位置の音声レベルと上記第２の音声レベル検出手段で検出された上記編集の終了位置の音声レベルとを比較して差を出力する比較手段と、上記比較手段で出力された差が所定範囲を超える場合に上記編集によって上記音声情報の接続が悪くなる旨を告知する告知表示を上記動画像情報に合成する又は上記比較手段で出力された差が上記所定範囲内である場合に上記編集によって上記音声情報の接続が悪くならない旨を告知する告知表示を上記動画像情報に合成する告知合成手段と、上記告知表示が合成された動画像情報に対応した画像を上記表示手段に表示させる制御手段と、を具備することを特徴とする。
【０００７】
また、上記の目的を達成するために、本発明の第２の態様の撮影装置は、撮影により得られた動画像情報と該動画像情報に同期して記録された音声情報とを編集する撮影装置において、上記動画像情報に対応した画像を表示する表示手段と、上記編集の開始位置と上記編集の終了位置とをそれぞれ指示するための指示手段と、上記音声情報における上記編集の開始位置の音声レベルを検出する第１の音声レベル検出手段と、上記音声情報における上記編集の終了位置の音声レベルを検出する第２の音声レベル検出手段と、上記第１の音声レベル検出手段で検出された上記編集の開始位置の音声レベルと上記第２の音声レベル検出手段で検出された上記編集の終了位置の音声レベルとを比較して差を出力する比較手段と、上記比較手段で出力された差が所定範囲を超える場合に上記編集によって上記音声情報の接続が悪くなる旨を告知する告知表示を上記動画像情報に合成する又は上記比較手段で出力された差が上記所定範囲内である場合に上記編集によって上記音声情報の接続が悪くならない旨を告知する告知表示を上記動画像情報に合成する告知合成手段と、上記告知表示が合成された動画像情報を上記表示手段に表示させる制御手段と、を具備することを特徴とする。
【０００８】
また、上記の目的を達成するために、本発明の第３の態様の動画編集装置は、記録手段に記録された動画像情報と該動画像情報に同期して記録された音声情報とを編集する動画編集装置において、上記動画像情報に対応した画像を表示する表示手段と、上記編集の開始位置と上記編集の終了位置とをそれぞれ指示するための指示手段と、上記音声情報における上記編集の開始位置の音声レベルを検出する第１の音声レベル検出手段と、上記音声情報における上記編集の終了位置の音声レベルを検出する第２の音声レベル検出手段と、上記第１の音声レベル検出手段で検出された上記編集の開始位置の音声レベルと所定音声レベルとを比較して差を出力する第１の比較手段と、上記第２の音声レベル検出手段で検出された上記編集の終了位置の音声レベルと上記所定音声レベルとを比較して差を出力する第２の比較手段と、上記第１の比較手段で出力された差と上記第２の比較手段で出力された差の少なくとも何れかが所定範囲を超える場合に上記編集によって上記音声情報の接続が悪くなる旨を告知する告知表示を上記動画像情報に合成する又は上記第１の比較手段で出力された差と上記第２の比較手段で出力された差の両方が上記所定範囲内である場合に上記編集によって上記音声情報の接続が悪くならない旨を告知する告知表示を上記動画像情報に合成する告知合成手段と、上記告知表示が合成された動画像情報に対応した画像を上記表示手段に表示させる制御手段と、を具備することを特徴とする。
【０００９】
また、上記の目的を達成するために、本発明の第４の態様の撮影装置は、撮影により得られた動画像情報と該動画像情報に同期して記録された音声情報とを編集する撮影装置において、上記動画像情報に対応した画像を表示する表示手段と、上記編集の開始位置と上記編集の終了位置とをそれぞれ指示するための指示手段と、上記音声情報における上記編集の開始位置の音声レベルを検出する第１の音声レベル検出手段と、上記音声情報における上記編集の終了位置の音声レベルを検出する第２の音声レベル検出手段と、上記第１の音声レベル検出手段で検出された上記編集の開始位置の音声レベルと所定音声レベルとを比較して差を出力する第１の比較手段と、上記第２の音声レベル検出手段で検出された上記編集の終了位置の音声レベルと上記所定音声レベルとを比較して差を出力する第２の比較手段と、上記第１の比較手段で出力された差と上記第２の比較手段で出力された差の少なくとも何れかが所定範囲を超える場合に上記編集によって上記音声情報の接続が悪くなる旨を告知する告知表示を上記動画像情報に合成する又は上記第１の比較手段で出力された差と上記第２の比較手段で出力された差の両方が上記所定範囲内である場合に上記編集によって上記音声情報の接続が悪くならない旨を告知する告知表示を上記動画像情報に合成する告知合成手段と、上記告知表示が合成された動画像情報に対応した画像を上記表示手段に表示させる制御手段と、を具備することを特徴とする。
【００１０】
また、上記の目的を達成するために、本発明の第５の態様の動画編集方法は、記録手段に記録された動画像情報と該動画像情報に同期して記録された音声情報とを編集する動画編集方法であって、上記動画像情報に対応した画像を表示手段に表示することと、上記編集の開始位置の指示を受けて上記音声情報における上記編集の開始位置の音声レベルを検出することと、上記編集の終了位置の指示を受けて上記音声情報における上記編集の終了位置の音声レベルを検出することと、上記検出された上記編集の開始位置の音声レベルと上記検出された上記編集の終了位置の音声レベルとを比較して差を出力することと、上記出力された差が所定範囲を超える場合に上記編集によって上記音声情報の接続が悪くなる旨を告知する告知表示を上記動画像情報に合成する又は上記出力された差が上記所定範囲内である場合に上記編集によって上記音声情報の接続が悪くならない旨を告知する告知表示を上記動画像情報に合成することと、上記告知表示が合成された動画像情報に対応した画像を上記表示手段に表示させることとを具備することを特徴とする。
【００１１】
また、上記の目的を達成するために、本発明の第６の態様の動画編集プログラムは、記録手段に記録された動画像情報と該動画像情報に同期して記録された音声情報とを編集する動画編集プログラムであって、上記動画像情報に対応した画像を表示手段に表示することと、上記編集の開始位置の指示を受けて上記音声情報における上記編集の開始位置の音声レベルを検出することと、上記編集の終了位置の指示を受けて上記音声情報における上記編集の終了位置の音声レベルを検出することと、上記検出された上記編集の開始位置の音声レベルと上記検出された上記編集の終了位置の音声レベルとを比較して差を出力することと、上記出力された差が所定範囲を超える場合に上記編集によって上記音声情報の接続が悪くなる旨を告知する告知表示を上記動画像情報に合成する又は上記出力された差が上記所定範囲内である場合に上記編集によって上記音声情報の接続が悪くならない旨を告知する告知表示を上記動画像情報に合成することと、上記告知表示が合成された動画像情報に対応した画像を上記表示手段に表示させることとをコンピュータに実行させる。
【発明の効果】
【００１２】
本発明によれば、視聴者が違和感を覚えないように動画像を編集可能な動画編集装置、撮影装置、動画編集方法及び動画編集プログラムを提供することができる。
【図面の簡単な説明】
【００１３】
【図１】本発明の各実施形態に係る動画編集装置を有する撮影装置の一例としてのカメラの外観背面斜視図である。
【図２】本発明の各実施形態に係るカメラの内部の電気系を主とする全体構成を示すブロック図である。
【図３】カメラ本体のボディＣＰＵによるパワーオンリセット後の動作を示すフローチャートである。
【図４】再生動作について示すフローチャートである。
【図５】本発明の第１の実施形態における編集動作について示すフローチャートの第１図である。
【図６】本発明の第１の実施形態における編集動作について示すフローチャートの第２図である。
【図７】本発明の第１の実施形態における編集画面の例を示した図である。
【図８】瞬間再生動作について説明するための図である。
【図９】動画像ファイル中の動画像の例を示した図である。
【図１０】図９に対応した音声波形を示した図である。
【図１１】告知表示の例を示す図である。
【図１２】本発明の第２の実施形態における編集動作について示すフローチャートである。
【図１３】本発明の第２の実施形態における編集画面の例を示した図である。
【図１４】本発明の第３の実施形態における編集動作について示すフローチャートの第１図である。
【図１５】本発明の第３の実施形態における編集動作について示すフローチャートの第２図である。
【図１６】本発明の第３の実施形態における編集画面の例を示した図である。
【発明を実施するための形態】
【００１４】
以下、図面を参照して本発明の実施形態を説明する。  
［第１の実施形態］  
図１は、本発明の各実施形態に係る動画編集装置を有する撮影装置の一例としてのカメラの外観背面斜視図である。本実施形態に係るカメラは、レンズ交換式のカメラを例示している。図１に示すカメラは、交換レンズ１００とカメラ本体２００とを有している。交換レンズ１００は、カメラ本体２００に設けられたマウントを介してカメラ本体に結合されるように構成されている。
【００１５】
カメラ本体２００の上面には、パワースイッチレバー１０と、レリーズ釦１１と、モードダイヤル１２と、が配置されている。
パワースイッチレバー１０は、操作される毎に後述するパワースイッチ２５７をオン状態とオフ状態との間で切り替える操作部材である。パワースイッチ２５７がオン状態とされたことを検出した場合に、ボディＣＰＵ２２９は、カメラを動作可能状態とする。このとき、ボディＣＰＵ２２９は、カメラの全体に電源を供給するように図示しない電源回路に指示を送る。また、パワースイッチ２５７がオフ状態とされたことを検出した場合に、ボディＣＰＵ２２９は、カメラを低消費電流モード（スリープモードともいう）とする。低消費電流モード時においては、後述するボディＣＰＵ２２９は、低消費電流で駆動される。低消費電流状態で駆動されているボディＣＰＵ２２９は、パワースイッチ２５７以外の操作は検出しない。また、低消費電流モードでは、後述するスイッチ検知回路２５３等の回路以外には電源を供給しない。
【００１６】
レリーズ釦１１は、半押しされるとオンする１ｓｔレリーズスイッチと、全押しされるとオンする２ｎｄレリーズスイッチとを有して構成されている。１ｓｔレリーズスイッチがオンされたことを検出した場合に、ボディＣＰＵ２２９は、ＡＦ動作等の撮影準備動作を実行する。２ｎｄレリーズスイッチがオンされたことを検出した場合に、ボディＣＰＵ２２９は、静止画撮影動作を実行する。
【００１７】
モードダイヤル１２は、例えばレリーズ釦１１の左側に配置されている。モードダイヤル１２の操作を検出する毎に、ボディＣＰＵ２２９は、カメラの撮影モードを、プログラムモード、シャッタ優先モード、絞り優先モード、マニュアルモードの間で切り替える。プログラムモードでは、カメラにおいて予め定められている適正露光量での撮影を行えるよう、後述する絞り値とシャッタ速度とがボディＣＰＵ２２９によって自動的に決定されて撮影が行われる。シャッタ優先モードでは、ユーザによって定められたシャッタ速度で適正露光量での撮影を行えるよう、絞り値がボディＣＰＵ２２９によって自動的に決定されて撮影が行われる。絞り優先モードでは、ユーザによって定められた絞り値で適正露光量での撮影を行えるよう、シャッタ速度がボディＣＰＵ２２９によって自動的に決定されて撮影が行われる。マニュアルモードでは、ユーザによって定められた絞り値とシャッタ速度とに従って撮影が行われる。
【００１８】
カメラ本体２００の背面には、縮小/インデックス表示釦１３と、拡大釦１４と、動画記録釦１５と、再生釦１６と、メニュー釦１７と、編集釦１８と、削除釦１９と、十字釦２０と、決定釦２１と、が配置されている。また、カメラ本体２００の背面には、液晶モニタ２６が配置され、スピーカ開口部２７が形成されている。さらに、カメラ本体２００の前面には、マイク開口部２８が形成されている。
【００１９】
縮小/インデックス表示釦１３は、画像の縮小表示又はインデックス表示のための釦である。画像の拡大表示が行われている間に縮小/インデックス表示釦１３が押されたことを検出した場合に、ボディＣＰＵ２２９は、画像の縮小表示を行う。縮小表示では、それまで表示されていた画像の表示範囲を縮小してから液晶モニタ２６に表示させる。また、画像の等倍表示が行われている間に縮小/インデックス表示釦１３が押されたことを検出した場合に、ボディＣＰＵ２２９は、画像のインデックス表示をさせる。インデックス表示では、複数駒分の縮小画像を液晶モニタ２６に同時表示させる。
【００２０】
拡大釦１４は、画像の拡大表示のための釦である。拡大釦１４が押されたことを検出した場合に、ボディＣＰＵ２２９は、画像の拡大表示を行う。拡大表示では、それまで表示されていた画像の表示範囲を拡大してから液晶モニタ２６に表示させる。
動画記録釦１５は、動画撮影の開始と動画撮影の終了とを切り替えるための釦である。動画記録釦１５が押されたことを検出した場合に、ボディＣＰＵ２２９は、動画記録動作を開始させる。また、動画記録動作中に動画記録釦１５が押されたことを検出した場合に、ボディＣＰＵ２２９は、動画記録動作を終了させる。
【００２１】
再生釦１６は、画像の再生のための釦である。再生釦１６が押されたことを検出した場合に、ボディＣＰＵ２２９は、画像の再生動作を実行する。
メニュー釦１７は、メニュー表示のための釦である。メニュー釦１７が押されたことを検出した場合に、ボディＣＰＵ２２９は、液晶モニタ２６にメニュー画面を表示させる。
【００２２】
編集釦１８は、動画像の編集を行うための釦である。編集釦１８が押されたことを検出した場合に、ボディＣＰＵ２２９は、画像の編集動作を実行する。
削除釦１９は、画像の削除のための釦である。削除釦１９が押されたことを検出した場合に、ボディＣＰＵ２２９は、選択中の画像ファイルを削除する。
【００２３】
十字釦２０は、液晶モニタ２６に表示されている画像上で各種の選択を行うための上下左右の４つの釦を有している。例えば、メニュー画面の表示中に十字釦２０が押されたことを検出した場合に、ボディＣＰＵ２２９は、押された釦に対応した方向にメニュー画面上に表示されているカーソル等を移動させる。
【００２４】
決定釦２１は、十字釦２０の操作に従って選択された項目を決定するための釦である。例えば、メニュー画面の表示中に決定釦２１が押されたことを検出した場合に、ボディＣＰＵ２２９は、そのときのカーソルが位置している項目が決定されたと認識する。
【００２５】
表示手段の一例として機能する液晶モニタ２６は、種々の画像又は画面を表示するためのモニタである。液晶モニタ２６には、ライブビュー画像、記録済みの撮影画像、メニュー画面等が表示される。この液晶モニタ２６には、後述するタッチパネル２３６が形成されている。ここで、液晶モニタ２６は、例えば図１で示すようにカメラ本体２００の背面に配置されるが、撮影者が観察できる位置であれば必ずしも背面に配置する必要はない。また、液晶モニタの代わりに、有機ＥＬモニタ等、他の表示装置を配置しても構わない。
【００２６】
スピーカ開口部２７は、多数の孔を有しており、またスピーカ開口部２７の奥には、後述するスピーカ２７５が配置されている。スピーカ２７５で発せられた音声は、スピーカ開口部２７を介して外部に出力される。
マイク開口部２８は、多数の孔を有しており、またマイク開口部２８の奥には、後述するマイクロホン（以下、マイクという）２７７が配置されている。マイク開口部２８を介して入力された音声は、マイク２７７を介して電気信号として取り込まれる。
【００２７】
図２は、本発明の各実施形態に係るカメラの内部の電気系を主とする全体構成を示すブロック図である。図１でも説明したように、本カメラは、交換レンズ１００とカメラ本体２００とを有している。交換レンズ１００がカメラ本体２００に結合された状態では、交換レンズ１００に設けられた撮影レンズ１０１ａ、１０１ｂ（以下、撮影レンズ１０１ａと撮影レンズ１０１ｂとを撮影光学系１０１と総称する）によって形成される被写体光束がカメラ本体２００内に導かれる。また、交換レンズ１００がカメラ本体２００に結合された状態では、交換レンズ１００とカメラ本体２００とが通信接点３００を介して電気的に接続される。さらに、カメラ本体２００内のマウント開口部の近傍には、着脱検知スイッチ２５９が設けられている。この着脱検知スイッチ２５９の状態を監視することにより、ボディＣＰＵ２２９は、交換レンズ１００とカメラ本体２００の装着状態を識別する。
【００２８】
交換レンズ１００は、撮影光学系１０１と、絞り１０３と、光学位置検出機構１０５と、光学系駆動機構１０７と、絞り駆動機構１０９と、エンコーダ１１０と、レンズＣＰＵ１１１と、を有している。また、交換レンズ１００の周囲には、距離環１１２が設けられている。
【００２９】
撮影光学系１０１は、複数の撮影レンズ（図では２枚の撮影レンズ１０１ａ、１０１ｂのみを示している）を有して構成されている。この撮影光学系１０１は、撮影レンズ１０１ａ又は撮影レンズ１０１ｂをその光軸方向に沿って駆動することにより、焦点位置及び焦点距離を変えることが可能に構成されている。このような撮影光学系１０１は、被写体光束を、カメラ本体２００内に導く。
【００３０】
絞り１０３は、開閉自在に構成されて撮影光学系１０１内に配置されている。絞り１０３の開口量を調節することにより、撮影光学系１０１を介してカメラ本体２００内に導かれる被写体光束の量が調節される。
光学位置検出機構１０５は、例えばエンコーダであり、撮影レンズ１０１ａ及び撮影レンズ１０１ｂの駆動位置を検出する。レンズＣＰＵ１１１は、光学位置検出機構１０５からの信号によって、撮影光学系１０１の焦点距離及び焦点位置を識別する。
【００３１】
光学系駆動機構１０７は、モータ等を有し、レンズＣＰＵ１１１からの制御信号に従って撮影レンズ１０１ａ、１０１ｂをそれぞれ駆動する。絞り駆動機構１０９は、モータ等を有し、レンズＣＰＵ１１１からの制御信号に従って絞り１０３を駆動する。
エンコーダ１１０は、距離環１１２の回動方向及び回動量を検出する。レンズＣＰＵ１１１は、エンコーダ１１０からの信号により、ユーザによる距離環１１２の操作方向及び操作量を識別する。距離環１１２は、ユーザが手動で撮影レンズ１０１ａ、１０１ｂを駆動するための操作部材である。
【００３２】
レンズＣＰＵ１１１は、光学位置検出機構１０５、光学系駆動機構１０７、絞り駆動機構１０９、及びエンコーダ１１０が接続されており、また通信接点３００を介してカメラ本体２００に接続されている。このような構成のレンズＣＰＵ１１１は、交換レンズ１００内の制御を行うものであり、光学系駆動機構１０７を制御して撮影光学系１０１の焦点調節やズーム駆動を行ったり、絞り駆動機構１０９を制御して絞り１０３の駆動を行ったりする。また、レンズＣＰＵ１１１は、光学位置検出機構１０５によって検出された焦点位置や焦点距離に関するレンズ情報をカメラ本体２００に送信することも行う。さらに、レンズＣＰＵ１１１は、電気的に書き換え可能な不揮発性メモリを内部に有している。この不揮発性メモリには、交換レンズ１００の焦点距離情報（ズームレンズの場合には、最短焦点距離及び最長焦点距離）、開放絞り値、最小絞り値、撮影可能距離範囲（最至近距離を含む）、レンズの色バランス情報、収差情報、ＡＦのための情報、マクロレンズやテレコンバータ等か否か、レンズの種類等のレンズ情報が記憶されている。また、絞りの絞り状態（開放絞り状態か絞り込み状態か）、距離環１１２の操作状態（操作方向、操作量）等の交換レンズ１００の状態に関する情報もレンズ情報である。レンズＣＰＵ１１１は、これらのレンズ情報を必要に応じて通信接点３００を介してカメラ本体２００に送信する。さらに、レンズＣＰＵ１１１は、絞り駆動機構１０９による絞り１０３の絞り込み完了や絞り開放完了、光学系駆動機構１０７によるレンズ駆動完了といった各種の状態を示す情報もカメラ本体２００に送信する。
【００３３】
ここで、レンズ情報を記憶した不揮発性メモリは、必ずしもレンズＣＰＵ１１１内に設ける必要はなく、レンズＣＰＵ１１１と通信自在なようにレンズＣＰＵ１１１の外部に設けてもよい。
カメラ本体２００は、シャッタ２０３と、シャッタ駆動機構２１３と、撮像素子ユニット２９０と、防塵フィルタ駆動回路２１１と、ブレ補正駆動機構２６０と、アクチュエータ駆動回路２９６と、ブレ検出回路２９７と、撮像素子駆動回路２２３と、前処理回路２２５と、コントラストＡＦ回路２２６と、カメラ用ＩＣ２６２と、液晶モニタ駆動回路２３５と、液晶モニタ２６と、タッチパネル２３６と、ＳＤＲＡＭ２３８と、記録媒体２４５と、フラッシュメモリ２４９と、各種スイッチ２５５と、パワースイッチ２５７と、音声圧縮伸張回路２７１と、オーディオ処理回路２７３と、スピーカ２７５と、マイク２７７と、を有している。
【００３４】
シャッタ２０３は、例えば撮影光学系１０１の光軸上であって撮影光路上に配置されたフォーカルプレーンタイプのシャッタである。このシャッタ２０３は、撮像素子２２１の露光面を遮光するように構成されている。シャッタ２０３により、撮像素子２２１の露光時間が調節される。シャッタ駆動機構２１３は、シャッタ２０３の開放動作又は遮光動作をさせるための駆動機構である。このシャッタ駆動機構２１３の動作は、ボディＣＰＵ２２９によって制御される。
【００３５】
撮像素子ユニット２９０は、シャッタ２０３の後方に配置されている。この撮像素子ユニット２９０は、防塵フィルタ２０５、赤外カットフィルタ２０９、光学的ローパスフィルタ２１０、撮像素子２２１を、密封されたパッケージに収納して構成されている。このような構成により、撮像素子ユニット２９０内には塵埃が侵入しないようになっている。
【００３６】
防塵フィルタ２０５は、カメラ本体２００のマウント開口部や本体の内部で発生した塵埃が撮像素子２２１等に付着するのを防止するために、撮像素子ユニット２９０の最前面に配置されている。防塵フィルタ２０５により、塵埃の影が、撮像素子２２１で撮像される被写体像に写し込まれない。このため、見苦しい画像が得られない。
【００３７】
圧電素子２０７は、防塵フィルタ２０５の周縁部の全部又は一部に固着されている。また、圧電素子２０７は、防塵フィルタ駆動回路２１１に接続されている。このような圧電素子２０７は、防塵フィルタ駆動回路２１１の駆動信号に基づいて振動する。この圧電素子２０７の振動により、防塵フィルタ２０５を所定周波数で超音波振動させる。防塵フィルタ２０５の超音波振動により、防塵フィルタ２０５の前面に付着した塵埃が除去される。
【００３８】
赤外カットフィルタ２０９は、防塵フィルタ２０５の後方に配置され、撮影光学系１０１を介して撮像素子２２１に入射する被写体光束における赤外光成分をカットするフィルタである。光学的ローパスフィルタ２１０は、赤外カットフィルタ２０９の後方に配置され、赤外カットフィルタ２０９を通過した被写体光束における高周波成分を除去するフィルタである。
【００３９】
撮像素子２２１は、光学的ローパスフィルタ２１０のさらに後方に配置されている。撮像素子２２１は、撮影光学系１０１を介して入射した被写体光束に対応して結像された被写体像をアナログ画像信号に光電変換するための露光面を有している。撮像素子２２１としては、ＣＣＤ（Charge Coupled Device）方式やＣＭＯＳ（Complementary Metal Oxide Semiconductor）方式等の種々の２次元固体撮像素子を使用できる。
【００４０】
撮像素子ユニット２９０は、ブレ補正駆動機構２６０によって撮影光学系１０１の光軸と垂直なＸＹ平面内で２次元的に変位される。ブレ補正駆動機構２６０は、圧電素子駆動モータ等からなるアクチュエータを駆動源として備えている。このブレ補正駆動機構２６０は、撮像素子ユニット２９０の全体を撮影光学系１０１の光軸と垂直なＸＹ平面内で２次元的に変位させる。アクチュエータ駆動回路２９６は、ブレ補正駆動機構２６０を動作させるための駆動回路である。このアクチュエータ駆動回路２９６の動作は、ボディＣＰＵ２２９によって制御される。
【００４１】
ブレ検出回路２９７は、角速度センサ２９７ａと、角速度検出回路２９７ｂと、を有している。角速度センサ２９７ａは、例えばジャイロセンサを利用した角速度センサであって、カメラ本体２００に発生した角速度を検出する。カメラ本体２００に発生した角速度とは、特に撮影光学系１０１の光軸と垂直なＸ方向及びＹ方向の角速度である。角速度検出回路２９７ｂは、角速度センサ２９７ａからの出力信号を増幅した後、デジタル信号に変換する。このようなブレ検出回路２９７により、カメラ本体２００に発生したブレ（手ブレ等）を検出する。ブレ検出回路２９７によって検出されたカメラ本体２００のブレを打ち消すようにブレ補正駆動機構２６０を駆動して撮像素子ユニット２９０を変位させることにより、カメラ本体２００に加えられたブレが打ち消される。
【００４２】
撮像素子駆動回路２２３は、撮像素子２２１で得られたアナログ画像情報（以下、アナログ画像信号という）を読み込んで増幅し、さらに増幅したアナログ画像信号をデジタル情報（以下、画像データという）に変換する。撮像素子駆動回路２２３によるアナログ画像信号の読み込みタイミング等は、入出力回路２３９によって制御される。前処理回路２２５は、撮像素子駆動回路２２３で得られた画像データに対して種々の前処理を行う。この処理としては、例えばライブビュー動作のための間引処理等が含まれる。
【００４３】
コントラストＡＦ回路２２６は、前処理回路２２５から出力された画像データにおける所定範囲内の高周波成分（コントラスト信号）を抽出する。この所定範囲は、例えばＡＦターゲット領域内、画面全体、又は拡大表示領域である。所定範囲の指示は、ボディＣＰＵ２２９によって行われる。
【００４４】
カメラ用ＩＣ２６２は、カメラ本体２００の動作に最適化された制御回路を含むＡＳＩＣ（Application Specific Integrated Circuit：特定用途向け集積回路）である。このカメラ用ＩＣ２６２は、画像処理回路２２７、シーケンスコントローラ（ボディＣＰＵ）２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３を有している。これらの各制御回路は、データバス２６１に接続されている。ここで、コントラストＡＦ回路２２６が、カメラ用ＩＣ２６２内に設けられていてもよい。
【００４５】
画像処理回路２２７は、前処理回路２２５から出力された画像データに対して各種の画像処理を施す。この画像処理としては、画像データのデジタル的増幅（デジタルゲイン調整）、色補正、ガンマ（γ）補正、コントラスト補正、白黒・カラーモード処理、ライブビュー動作用処理といった処理が含まれる。また、画像処理回路２２７は、例えば特徴量検出によって画像データ中に顔が含まれているか否かを判定し、含まれている場合には、顔の位置や大きさを判定することも行う。顔検出は、専用のハードウエアを用いてもよい。また、画像処理回路２２７は、画像データの輝度分布や彩度の検出も行う。また、本実施形態における画像処理回路２２７は、ボディＣＰＵ２２９とともに告知合成手段としても機能する。また、画像処理回路２２７は、音声変換手段としての機能も有し、音声情報を表示情報に変換する処理も行う。さらに、画像処理回路２２７は、ボディＣＰＵ２２９とともに音声表示合成手段としても機能する。
【００４６】
ボディＣＰＵ２２９は、フラッシュメモリ２４９に記憶されているプログラムに従って、交換レンズ１００の動作を含むカメラ全体の動作を制御する。また、ボディＣＰＵ２２９は、コントラストＡＦ回路２２６において抽出されたコントラスト信号に従って、撮影光学系１０１の焦点調節も行う。さらに、本実施形態におけるボディＣＰＵ２２９は、第１及び第２の音声レベル検出手段、比較手段、告知合成手段、制御手段、検出手段、編集手段としての機能も有している。
【００４７】
圧縮伸張回路２３１は、ＳＤＲＡＭ２３８に記憶されている画像データを静止画圧縮又は動画圧縮する。また、圧縮伸張回路２３１は、記録媒体２４５から読み出された画像ファイル（静止画像ファイル又は動画像ファイル）に対応してＳＤＲＡＭ２３８に展開された圧縮画像データを読み込んで伸張する。
ビデオ信号出力回路２３３は、ＳＤＲＡＭ２３８に記憶された画像データを、液晶モニタ２６に表示するためのビデオ信号に変換する。
【００４８】
ＳＤＲＡＭ制御回路２３７は、ＳＤＲＡＭ２３８へのデータの書き込み及び読み込みを制御する。
入出力回路２３９は、防塵フィルタ駆動回路２１１、シャッタ駆動機構２１３、撮像素子駆動回路２２３に接続され、データバス２６１を介してボディＣＰＵ２２９等のカメラ用ＩＣ２６２の内部の各制御回路とカメラ用ＩＣ２６２の外部の各ブロックとの間のデータの入出力を制御する。通信回路２４１は、通信接点３００を介してレンズＣＰＵ１１１と接続され、またデータバス２６１とも接続されている。通信回路２４１は、レンズＣＰＵ１１１とボディＣＰＵ２２９等との間でのデータの授受の仲介や制御信号の通信の仲介を行う。
【００４９】
記録媒体制御回路２４３は、記録媒体２４５へのデータの書き込み及び読み込みを制御する。  
フラッシュメモリ制御回路２４７は、フラッシュメモリ２４９へのデータの書き込み及び読み込みを制御する。
スイッチ検知回路２５３は、タッチパネル２３６、パワースイッチ２５７、その他の各種スイッチ２５５、及び着脱検知スイッチ２５９に接続されている。ここで、各種スイッチ２５５は、レリーズ釦１１の操作に連動する１ｓｔレリーズスイッチ及び２ｎｄレリーズスイッチや再生釦１６の操作に連動するスイッチ等の、図１で示したパワースイッチレバー１０以外の操作部材の操作に連動するスイッチを総称したものである。このようなスイッチ検知回路２５３は、タッチパネル２３６、パワースイッチ２５７、各種スイッチ２５５、着脱検知スイッチ２５９の状態を示す信号をボディＣＰＵ２２９に出力する。ボディＣＰＵ２２９は、スイッチ検知回路２５３からの信号に従ってタッチパネル２３６、パワースイッチ２５７、その他の各種スイッチ２５５、及び着脱検知スイッチ２５９の状態を識別する。
【００５０】
液晶モニタ駆動回路２３５は、ビデオ信号出力回路２３３からのビデオ信号を液晶モニタ２６に入力して、液晶モニタ２６を駆動させる。
指示手段としての一例として機能するタッチパネル２３６は、液晶モニタ２６の表示画面と一体的に形成されている。タッチパネル２３６は、指等の接触や移動を検出する。接触検出方式は、例えば静電容量式や抵抗膜式等の種々の方式を用いることが可能である。このタッチパネル２３６は、例えば、後述する編集画面上において編集の開始位置及び終了位置を指定するために用いられる。
【００５１】
ＳＤＲＡＭ２３８は、画像処理回路２２７によって画像処理された画像データや圧縮伸張回路２３１によって圧縮又は伸張された画像データ等を一時的に記憶するためのバッファメモリである。
記録媒体２４５は、コンパクトフラッシュ（登録商標）、ＳＤメモリカード（登録商標）、メモリスティック（登録商標）等のデータの書き換えが可能な記録媒体であり、カメラ本体２００に対して着脱自在に構成されている。記録媒体２４５として、マイクロドライブ（登録商標）等のハードディスクユニットを接続可能としてもよい。また、記録媒体２４５の代わりに無線通信ユニットを接続し、無線通信ユニットを介してカメラ本体２００の外部の記録媒体にデータを記録できるように構成してもよい。
【００５２】
フラッシュメモリ２４９は、データの書き換えが可能な不揮発性メモリであり、カメラの動作を制御するためのプログラムや、制御用の調整値等を記憶する。ボディＣＰＵ２２９は、フラッシュメモリ２４９に記憶されたプログラムや調整値等に従ってカメラの制御を行う。
【００５３】
音声圧縮伸張回路２７１は、動画撮影時において取得されたデジタル音声情報（以下、音声データという）を圧縮する。また、音声圧縮伸張回路２７１は、記録媒体２４５に動画像データとともに動画像ファイルに記録されている圧縮音声データを読み込んで伸張する。
【００５４】
オーディオ処理回路２７３は、マイク２７７を介して取得されたアナログ音声情報（以下、アナログ音声信号という）を増幅した後、デジタル音声情報（音声データ）に変換する。また、オーディオ処理回路２７３は、音声圧縮伸張回路２７１における伸張によって得られた音声データをアナログ音声信号に変換する。
【００５５】
スピーカ２７５は、オーディオ処理回路２７３により得られたアナログ音声信号に応じた音声を外部に出力する。マイク２７７は、外部からの音声を電気信号としてのアナログ音声信号に変換して取り込む。
次に、本実施形態におけるカメラの動作について、図３を用いて説明する。図３は、カメラ本体２００のボディＣＰＵ２２９によるパワーオンリセット後の動作を示すフローチャートである。
【００５６】
カメラ本体２００にバッテリが装填されると又はカメラ本体２００に外部電源が接続されると、ボディＣＰＵ２２９は、図３のフローチャートの動作をスタートさせる。まず、ボディＣＰＵ２２９は、スイッチ検知回路２５３の出力から、パワースイッチ２５７がオン状態であるか否かを判定する（Ｓ１）。ステップＳ１における判定の結果、パワースイッチ２５７がオフ状態の場合に、ボディＣＰＵ２２９は、カメラ本体２００の状態を低消費電流モード（スリープモード）にする（Ｓ３）。低消費電流モードにおいて、ボディＣＰＵ２２９は、パワースイッチ２５７がオン状態であるか否かを判定している。そして、パワースイッチ２５７がオン状態となった場合に低消費電流モードを解除する。このとき、ボディＣＰＵ２２９は、処理をステップＳ５に移行させる。
【００５７】
ステップＳ１における判定においてパワースイッチ２５７がオン状態である場合又は低消費電流モードが解除された場合に、ボディＣＰＵ２２９は、図示しない電源回路に指示を送ってカメラ本体２００及び交換レンズ１００への電源供給を開始させる（Ｓ５）。
【００５８】
電源供給の開始後、ボディＣＰＵ２２９は、交換レンズ１００からレンズ情報を取得する（Ｓ７）。このステップにおいて、ボディＣＰＵ２２９は、レンズＣＰＵ１１１から通信回路２４１を介して、光学位置検出機構１０５によって検出した撮影光学系１０１の焦点位置情報や焦点距離情報を取得し、また、至近側焦点距離・長焦点側焦点距離、開放絞り値、焦点距離毎の露出補正値、周辺光量の補正値（シェーディング）、周辺の色補正値、歪曲収差補正値等の種々の交換レンズ１００の固有情報等のレンズ情報を取得する。さらに、ボディＣＰＵ２２９は、中間リング及びテレコンバータ等の交換レンズ１００に関わるアクセサリに関する情報も取得する。
【００５９】
レンズ情報を取得した後、ボディＣＰＵ２２９は、カメラ本体２００の動作モードやパラメータの設定をする（Ｓ９）。このステップにおいて、ボディＣＰＵ２２９は、モードダイヤル１２の操作によって設定された撮影モードに対応した設定をフラッシュメモリ２４９から読み込む。また、ボディＣＰＵ２２９は、ユーザによって設定されたパラメータ（例えば撮影条件）がある場合にはそのパラメータを取得する。ここでのパラメータとは、ＩＳＯ感度、シャッタ速度、絞り値等である。
【００６０】
続いて、ボディＣＰＵ２２９は、ライブビュー動作を開始する（Ｓ１１）。このステップにおいて、ボディＣＰＵ２２９は、入出力回路２３９を介して撮像素子駆動回路２２３を制御することにより撮像素子２２１による撮像動作を開始させる。この撮像動作によって前処理回路２２５で得られた動画像データに基づいて、ボディＣＰＵ２２９は、ビデオ信号出力回路２３３を制御して被写体像の観察用の画像を、液晶モニタ２６に動画表示させる。ライブビュー動作を開始した後、ボディＣＰＵ２２９は、測光処理及び露光量の演算処理を行う（Ｓ１３）。このステップにおいて、ボディＣＰＵ２２９は、前処理回路２２５で得られた画像データを用いて、画像処理回路２２７により被写体輝度を算出する。その後、ボディＣＰＵ２２９は、画像処理回路２２７において算出された被写体輝度を用いて、先に設定した撮影条件に応じた適正露光量となるシャッタ速度や絞り値等の条件を演算する。
【００６１】
測光処理及び露光量演算処理の後、ボディＣＰＵ２２９は、ステップＳ１１と同様のライブビュー動作を行う（Ｓ１５）。後述するように、ステップＳ２５において、パワースイッチ２５７がオン状態である場合には、処理がステップＳ１３に戻る。この場合、再度のライブビュー動作によって液晶モニタ２６の表示が更新される。
【００６２】
ライブビュー動作の後、ボディＣＰＵ２２９は、スイッチ検知回路２５３の出力から、再生スイッチがオン状態か否かを判定する（Ｓ１７）。再生スイッチは、その他の各種スイッチ２５５に含まれるスイッチであって、再生釦１６の操作に連動するスイッチである。ステップＳ１７の判定の結果、再生スイッチがオン状態である場合に、ボディＣＰＵ２２９は、再生動作を行う（Ｓ３１）。再生動作の詳細については後述する。
【００６３】
再生動作の後又はステップＳ１７の判定において再生スイッチがオン状態でない場合に、ボディＣＰＵ２２９は、スイッチ検知回路２５３の出力から、メニュースイッチがオン状態か否かを判定する（Ｓ１９）。メニュースイッチは、その他の各種スイッチ２５５に含まれるスイッチであって、メニュー釦１７に連動するスイッチである。ステップＳ１９における判定の結果、メニュースイッチがオン状態である場合に、ボディＣＰＵ２２９は、メニュー設定動作を行う（Ｓ３３）。メニュー設定動作において、ボディＣＰＵ２２９は、ビデオ信号出力回路２３３を介して液晶モニタ２６にメニュー画面を表示させる。メニュー画面上では、ユーザは、ＩＳＯ感度、ホワイトバランス、マニュアルフォーカス（ＭＦ）モード、オートフォーカス（ＡＦ）モード、防振モード等の各種のモードやパラメータを十字釦２０や決定釦２１を操作することによって設定する。例えば、防振モードが設定された場合には、ライブビュー動作中及び撮影動作時に防振動作が実行される。なお、メニュー画面上での操作をタッチパネル２３６によって行えるようにしてもよい。
【００６４】
メニュー設定動作の後又はステップＳ１９の判定においてメニュースイッチがオン状態でない場合に、ボディＣＰＵ２２９は、スイッチ検知回路２５３の出力から、１ｓｔレリーズスイッチがオン状態か否かを判定する（Ｓ２１）。１ｓｔレリーズスイッチは、その他の各種スイッチ２５５に含まれるスイッチであって、レリーズ釦１１の操作に連動するスイッチである。ステップＳ２１における判定の結果、１ｓｔレリーズスイッチがオン状態である場合に、ボディＣＰＵ２２９は、静止画撮影動作を行う（Ｓ３５）。静止画撮影動作において、ボディＣＰＵ２２９は、ＡＦモードが設定されている場合にはコントラストＡＦによって撮影光学系１０１の焦点調節を行う。また、ボディＣＰＵ２２９は、測光処理及び露光量演算処理により、適正露光量となる撮影条件を演算する。その後、レリーズ釦１１の全押し操作に従って２ｎｄレリーズスイッチがオン状態となると、ボディＣＰＵ２２９は、先に演算した撮影条件に従って撮像素子２２１の露光動作を実行する。そして、ボディＣＰＵ２２９は、露光動作により前処理回路２２５で得られた画像データを画像処理回路２２７で画像処理し、その後に圧縮伸張回路２３１で圧縮し、圧縮後の静止画像データに静止画用のヘッダ情報を付与して静止画像ファイルを作成し、作成した静止画像ファイルを記録媒体２４５に記録する。
【００６５】
静止画撮影動作の後又はステップＳ２１の判定において１ｓｔレリーズスイッチがオン状態でない場合に、ボディＣＰＵ２２９は、スイッチ検知回路２５３の出力から、動画記録スイッチがオン状態であるか否かを判定する（Ｓ２３）。動画記録スイッチは、その他の各種スイッチ２５５に含まれるスイッチであって、動画記録釦１５の操作に連動するスイッチである。ステップＳ２３における判定の結果、動画記録スイッチがオン状態である場合に、ボディＣＰＵ２２９は、動画撮影動作を行う（Ｓ３７）。動画撮影動作において、ボディＣＰＵ２２９は、ＡＦモードが設定されている場合にはコントラストＡＦによって撮影光学系１０１の焦点調節を行う。また、ボディＣＰＵ２２９は、測光処理及び露光量演算処理により、適正露光量となる撮影条件を演算する。続いて、ボディＣＰＵ２２９は、先に演算した撮影条件に従って撮像素子２２１の露光動作を開始する。また、露光動作の開始と同期して、ボディＣＰＵ２２９は、マイク２７７を介しての音声の取得動作を開始する。その後、動画記録釦１５が再び操作されて動画記録スイッチがオフ状態となると、ボディＣＰＵ２２９は、撮像素子２２１の露光動作及びマイク２７７を介しての音声の取得動作を終了する。そして、ボディＣＰＵ２２９は、露光動作により前処理回路２２５で得られた画像データを画像処理回路２２７で画像処理し、その後に圧縮伸張回路２３１で圧縮する。また、ボディＣＰＵ２２９は、音声取得動作によりオーディオ処理回路２７３で得られた音声データを音声圧縮伸張回路２７１で圧縮する。そして、ボディＣＰＵ２２９は、圧縮された動画像データ及び音声データ結合し、さらに動画用のヘッダ情報を付与して動画像ファイルを作成し、作成した動画像ファイルを記録媒体２４５に記録する。
【００６６】
動画撮影動作の後又はステップＳ２３の判定において動画記録スイッチがオン状態でない場合に、ボディＣＰＵ２２９は、パワースイッチ２５７がオン状態か否かを判定する（Ｓ２５）。ステップＳ２５における判定の結果、パワースイッチ２５７がオン状態である場合に、ボディＣＰＵ２２９は処理をステップＳ１３に戻して前述の動作を実行する。即ち、電源がオンの状態では、ボディＣＰＵ２２９は、ステップＳ１３〜Ｓ２３を繰り返し実行する。一方、ステップＳ２５における判定の結果、パワースイッチ２５７がオン状態でない場合には、ボディＣＰＵ２２９は、カメラをパワーオフモードとするため、図示しない電源回路に指示を送ってカメラ本体２００及び交換レンズ１００への電源供給を停止させる（Ｓ２７）。電源供給の停止後、ボディＣＰＵ２２９は、処理をステップＳ３に戻して低消費電流モードとする。
【００６７】
図４は、再生動作について示すフローチャートである。再生動作において、ボディＣＰＵ２２９は、記録媒体２４５に記録された画像ファイルの中の予め定められた画像ファイルから画像データを読み込んでＳＤＲＡＭ２３８に展開する（Ｓ１０１）。このステップにおいて、ボディＣＰＵ２２９は、例えば、最終駒の、即ち最新の画像ファイル（静止画像ファイルであっても動画像ファイルであってもよい）を読み込む。画像データの読み込み後、ボディＣＰＵ２２９は、読み込んだ画像データに対応した画像を液晶モニタ２６に表示させる（Ｓ１０３）。このステップにおいて、ボディＣＰＵ２２９は、読み込んだ画像データ（圧縮画像データ）を圧縮伸張回路２３１によって伸張し、伸張した画像データをビデオ信号出力回路２３３に入力して画像を液晶モニタ２６に表示させる。なお、動画像ファイルの場合には、音声データも再生する。
【００６８】
画像表示の後、ボディＣＰＵ２２９は、スイッチ検知回路２５３の出力を検出する（Ｓ１０５）。そして、ボディＣＰＵ２２９は、スイッチ検知回路２５３の出力から、十字スイッチがオン状態か否かを判定する（Ｓ１０７）。十字スイッチは、その他の各種スイッチ２５５に含まれるスイッチであって、十字釦２０の操作に連動するスイッチである。ステップＳ１０７における判定の結果、十字スイッチがオン状態である場合に、ボディＣＰＵ２２９は、液晶モニタ２６に表示させる画像を変更する（Ｓ１３１）。その後、ボディＣＰＵ２２９は、処理をステップＳ１０３に戻す。ステップＳ１３１において、ボディＣＰＵ２２９は、上釦が押されて上スイッチがオン状態となった場合には、例えば１０駒前の画像データを記録媒体２４５から読み込んで画像を表示させる。また、ボディＣＰＵ２２９は、下釦が押されて下スイッチがオン状態となった場合には、例えば１０駒後の画像データを記録媒体２４５から読み込んで画像を表示させる。また、ボディＣＰＵ２２９は、左釦が押されて左スイッチがオン状態となった場合には、１駒前の画像データを記録媒体２４５から読み込んで画像を表示させる。また、ボディＣＰＵ２２９は、右釦が押されて右スイッチがオン状態となった場合には、１駒後の画像データを記録媒体２４５から読み込んで画像を表示させる。ここで、上下左右釦が押された場合に、それに応じて表示させる画像は、一例であって適宜変更可能である。
【００６９】
また、ステップＳ１０７の判定の結果、十字スイッチがオン状態でない場合に、ボディＣＰＵ２２９は、スイッチ検知回路２５３の出力から、拡大スイッチ又は縮小/インデックス表示スイッチがオン状態か否かを判定する（Ｓ１０９）。拡大スイッチは、その他の各種スイッチ２５５に含まれるスイッチであって、拡大釦１４の操作に連動するスイッチである。また、縮小/インデックス表示スイッチは、その他の各種スイッチ２５５に含まれるスイッチであって、縮小/インデックス表示釦１３の操作に連動するスイッチである。ステップＳ１０９における判定の結果、拡大スイッチ又は縮小/インデックス表示スイッチがオン状態である場合に、ボディＣＰＵ２２９は、液晶モニタ２６に表示させている画像の表示範囲を変更する（Ｓ１３３）。その後、ボディＣＰＵ２２９は、処理をステップＳ１０３に戻す。ステップＳ１３３において、拡大スイッチがオン状態である場合に、ボディＣＰＵ２２９は、液晶モニタ２６に表示させる画像の表示範囲を拡大する。また、ステップＳ１０９における判定の結果、縮小/インデックス表示スイッチがオン状態である場合に、ボディＣＰＵ２２９は、それまで画像の表示範囲を拡大していた場合には液晶モニタ２６に表示させる画像の表示範囲を縮小する。一方、それまで画像の等倍表示をしていた場合に、ボディＣＰＵ２２９は、複数の画像を液晶モニタ２６にインデックス表示させる。
【００７０】
また、ステップＳ１０９の判定の結果、拡大スイッチと縮小/インデックス表示スイッチの何れもがオン状態でない場合に、ボディＣＰＵ２２９は、液晶モニタ２６に表示中の画像が動画像であるか否かを判定する（Ｓ１１１）。ステップＳ１１１における判定の結果、表示中の画像が動画像である場合に、ボディＣＰＵ２２９は、スイッチ検知回路２５３の出力から、編集スイッチがオン状態であるか否かを判定する（Ｓ１１３）。編集スイッチは、その他の各種スイッチ２５５に含まれるスイッチであって、編集釦１８の操作に連動するスイッチである。ステップＳ１１３における判定の結果、編集スイッチがオン状態である場合に、ボディＣＰＵ２２９は、編集動作を実行する（Ｓ１３５）。編集動作の詳細については後述する。編集動作の実行後、ボディＣＰＵ２２９は、処理をステップＳ１０３に戻す。
【００７１】
ステップＳ１１１の判定において表示中の画像が動画像でない場合又はステップＳ１１３の判定において編集スイッチがオン状態でない場合に、ボディＣＰＵ２２９は、スイッチ検知回路２５３の出力から、再生スイッチがオン状態か否かを判定する（Ｓ１１５）。ステップＳ１１５の判定の結果、再生スイッチがオン状態でない場合、即ち再生釦１６が再度押されたことを検出した場合に、ボディＣＰＵ２２９は、処理をステップＳ１０３に戻す。一方、ステップＳ１１５の判定の結果、再生スイッチがオフ状態である場合、即ち再生釦１６が再度押されたことを検出した場合に、ボディＣＰＵ２２９は、図４の再生動作を終了させ、図３のフローチャートのステップＳ１９の処理に戻る。
【００７２】
図５及び図６は、本発明の第１の実施形態における編集動作について示すフローチャートである。動画像の再生中に編集釦１８が押された場合に、ボディＣＰＵ２２９は、ビデオ信号出力回路２３３を介して液晶モニタ２６に編集画面を表示させる（Ｓ２０１）。
【００７３】
図７は、編集画面の例を示した図である。本実施形態においては、図７に示した編集画面上において、タッチパネル２３６と決定釦２１とを併用して編集作業を行う。  
図７に示す消去釦３０１、コピー釦３０３、取出釦３０５、瞬間再生釦３０７、戻る釦３０９は、ソフトウェア釦であって、それぞれ、タッチパネル２３６による操作が可能になされている。即ち、それぞれの釦位置にユーザの指３５１が接触したことを検出した場合に、ボディＣＰＵ２２９は、接触位置に該当する釦の機能に対応した動作を実行する。これらの釦に対応した動作の詳細は後述する。
【００７４】
ここで、ステップＳ２０１の時点では、消去釦３０１、コピー釦３０３、取出釦３０５が、非アクティブ状態となっている。非アクティブ状態の場合には、消去釦３０１、コピー釦３０３、取出釦３０５への接触が検出されたとしても、ボディＣＰＵ２２９は、それぞれの釦に対応した動作を実行しない。なお、消去釦３０１、コピー釦３０３、取出釦３０５の表示は、アクティブ状態と非アクティブ状態とで変えることが好ましい。例えば、非アクティブ状態の場合には、消去釦３０１、コピー釦３０３、取出釦３０５の表示を半透明表示としたり、グレー表示としたりする。これにより、ユーザは、消去釦３０１、コピー釦３０３、取出釦３０５が非アクティブ状態であることを容易に認知することが可能である。本実施形態では、便宜上、釦の範囲を破線で囲み、非アクティブ状態であることを表現している。
【００７５】
また、本実施形態においては、編集画面上に、編集の開始位置及び終了位置を指定するためのバー３２１を表示させ、さらに、バー３２１上にマーカー３２３を表示させる。バー３２１は、動画像及び音声の再生開始からの経過時間を時間軸表示したものである。バー３２１の例えば左端が動画像の再生開始位置に対応し、右端が動画像の再生終了位置に対応している。また、マーカー３２３の初期位置は、例えばバー３２１上の編集釦１８が押された時点に設定する。本実施形態においては、ユーザがバー３２１上でマーカー３２３の位置を指定することによって、編集の開始位置及び終了位置をそれぞれ指定する。
【００７６】
また、編集画面上の表示領域３３１には、マーカー３２３の位置が示す時点の動画像を静止画像として表示させる。さらに、編集画面上の表示領域３４１には、表示領域３３１に表示された静止画像に対応した表示情報３４３を表示させる。表示情報３４３は、音声データによって示される音声レベル（音圧）を、アナログ波形として視認できるように変換したものである。ここで、表示情報３４３は、マーカー３４５が示す時点の前後の所定時間の音声波形に対応している。また、マーカー３４５が示す時点は、マーカー３２３が示す時点に対応している。
【００７７】
以下の説明においては、表示情報３４３は、マーカー３４５が示す時点の前後１.５秒の範囲の音声波形に対応しているとする。なお、所定時間は必ずしもマーカー３４５の前後１.５秒とする必要はない。例えば、マーカー３４５の前後０.５秒としたり、マーカー３４５の前後２.５秒としたりしてもよい。所定時間をメニュー画面上で設定できるようにしてもよい。
【００７８】
図７に示すような編集画面を表示させた後、ボディＣＰＵ２２９は、スイッチ検知回路２５３の出力から、その他の各種スイッチ２５５の状態を検出する（Ｓ２０３）。続いて、ボディＣＰＵ２２９は、スイッチ検知回路２５３の出力から、タッチパネル２３６の状態を検出する（Ｓ２０５）。
【００７９】
各種スイッチ２５５の状態及びタッチパネル２３６の状態を検出した後、ボディＣＰＵ２２９は、タッチパネル２３６上に設定されたマーカーエリア３２７内に、ユーザの指３５１が接触しているか否かを判定する（Ｓ２０７）。ステップＳ２０７の判定の結果、マーカーエリア３２７内にユーザの指３５１が接触している場合に、ボディＣＰＵ２２９は、マーカー３２３の表示位置をユーザの指３５１の接触位置に更新する（Ｓ２０９）。一方、ステップＳ２０７の判定の結果、マーカーエリア３２７内にユーザの指３５１が接触していない場合には、ボディＣＰＵ２２９は、ステップＳ２３３以降の処理を実行する。
【００８０】
マーカー３２３の表示位置を更新した後、ボディＣＰＵ２２９は、再生中の動画像ファイルにおけるマーカー３２３の時点の駒に対応した画像データを読み込む（Ｓ２１１）。そして、ボディＣＰＵ２２９は、ビデオ信号出力回路２３３を制御して、新たに読み込んだ画像データに対応した静止画像を表示領域３３１に表示させる（Ｓ２１３）。
【００８１】
続いて、ボディＣＰＵ２２９は、再生中の動画像ファイルにおけるマーカー３２３の前後１.５秒の範囲に対応した音声データを読み込む（Ｓ２１５）。そして、ボディＣＰＵ２２９は、読み込んだ音声データを、画像処理回路２２７を介して表示情報３４３に変換する（Ｓ２１７）。その後、ボディＣＰＵ２２９は、ビデオ信号出力回路２３３を制御して、新たに得られた表示情報３４３を表示領域３４１に表示させる（Ｓ２１９）。このステップにおいて、ボディＣＰＵ２２９は、画像処理回路２２７を制御して、表示情報３４３を表示領域３４１の位置に合成する。その後、ボディＣＰＵ２２９は、更新した画像データをビデオ信号出力回路２３３に入力して表示を行う。
【００８２】
音声波形の表示情報３４３を更新した後、ボディＣＰＵ２２９は、現在、編集の開始位置の設定中であるか否かを判定する（Ｓ２２１）。初回の判定においては、編集の開始位置の設定中であると判定する。ステップＳ２２１の判定の結果、現在、編集の開始位置の設定中である場合に、ボディＣＰＵ２２９は、現在のマーカー３２３の位置（即ちマーカー３４５の位置）に対応した音声レベル（ピークからピークまで）を検出する（Ｓ２２３）。その後、ボディＣＰＵ２２９は、スイッチ検知回路２５３の出力から、決定スイッチがオン状態であるか否かを判定する（Ｓ２２５）。決定スイッチは、その他の各種スイッチ２５５に含まれるスイッチであって、決定釦２１の操作に連動するスイッチである。ステップＳ２２５における判定の結果、決定スイッチがオン状態でない場合に、ボディＣＰＵ２２９は、ステップＳ２３３以後の処理を実行する。
【００８３】
ステップＳ２２５における判定の結果、決定スイッチがオン状態である場合に、ボディＣＰＵ２２９は、現在、編集の開始位置の設定中であるか否かを判定する（Ｓ２２７）。ステップＳ２２７の判定の結果、現在、編集の開始位置の設定中である場合に、ボディＣＰＵ２２９は、現時点のマーカー３２３の位置を、編集の開始位置として記憶する（Ｓ２２９）。その後、ボディＣＰＵ２２９は、現時点のマーカー３４５の位置の音声レベルを、編集の開始位置の音声レベルとして記憶する（Ｓ２３１）。なお、記憶する音声レベルは、マーカー３４５の位置の音声レベルに限らず、マーカー３４５の位置の前後１.５秒の範囲に対応した音声レベルの平均の音声レベルとしてもよい。
【００８４】
続いて、ボディＣＰＵ２２９は、スイッチ検知回路２５３の出力から、瞬間再生釦３０７が操作されたか、即ち瞬間再生釦３０７の位置にユーザの指３５１が接触したか否かを判定する（Ｓ２３３）。ステップＳ２３３の判定の結果、瞬間再生釦３０７が操作された場合に、ボディＣＰＵ２２９は、ビデオ信号出力回路２３３を制御してマーカー３２３（マーカー３４５）の前後１.５秒の範囲に対応した動画像データを表示領域３３１に再生するとともに、音声圧縮伸張回路２７１を制御して図８に示すようなマーカー３２３（マーカー３４５）の前後１.５秒の範囲に対応した音声データを再生する（Ｓ２３５）。このような瞬間再生動作により、ユーザは、編集動作中にマーカー３２３（マーカー３４５）の付近の動画像と音声とを確認することが可能である。
【００８５】
マーカー３４５の前後１.５秒の範囲に対応した動画像データと音声データとを再生した後、ボディＣＰＵ２２９は、現在、編集の終了位置の設定後であるか否かを判定する（Ｓ２３７）。初回の判定においては、編集の終了位置の設定後でないと判定する。ステップＳ２３７の判定の結果、現在、編集の終了位置の設定後でない場合に、ボディＣＰＵ２２９は、スイッチ検知回路２５３の出力から、戻る釦３０９が操作されたか否か、即ち戻る釦３０９の位置にユーザの指３５１が接触しているか否かを判定する（Ｓ２３９）。ステップＳ２３９の判定の結果、戻る釦３０９が操作された場合、ボディＣＰＵ２２９は、ユーザによる編集位置の設定をもとに戻す（Ｓ２４１）。例えば、編集の開始位置の設定後の場合には、編集の開始位置として記憶したマーカー３２３及びマーカー３４５の位置とその時点の音声レベルとをクリアする。また、後述する編集の終了位置の設定後の場合には、編集の終了位置として記憶したマーカー３２３及びマーカー３４５の位置とその時点の音声レベルとをクリアする。
【００８６】
設定を戻した後又はステップＳ２３９の判定において戻る釦３０９が操作されていない場合に、ボディＣＰＵ２２９は、ステップＳ２０３のスイッチ状態検出の結果、編集スイッチがオン状態か、即ち編集釦１８が再度押されたか否かを判定する（Ｓ２４３）。ステップＳ２４３の判定の結果、編集スイッチがオン状態でない場合に、ボディＣＰＵ２２９は、処理をステップＳ２０３に戻す。一方、ステップＳ２４３の判定の結果、編集スイッチがオン状態である場合に、ボディＣＰＵ２２９は、図５及び図６の編集動作を終了させる。
【００８７】
また、ステップＳ２２１の判定の結果、現在、編集の開始位置の設定中でない、即ち、現在、編集の終了位置の設定中である場合に、ボディＣＰＵ２２９は、ステップＳ２３１で記憶した音声レベルを示すレベル表示３４７（図１１参照）を表示領域３４１に表示させる（Ｓ２５１）。その後、ボディＣＰＵ２２９は、ステップＳ２２３以後の処理を実行する。例えば、図９（ａ）や図９（ｃ）のように、人物が歌ったりしているような状況では、図１０（ａ）や図１０（ｃ）に示すように音声レベルが大きく変化する。この場合には、編集の開始位置の音声レベルが大きなレベルとなり、レベル表示３４７によって示される音声レベルの上限と下限との差も大きくなる可能性が高い。一方、図９（ｂ）や図９（ｄ）のように、人物が黙っているような状況では、図１０（ｂ）や図１０（ｄ）に示すように音声レベルもあまり変化しない。この場合、編集の開始位置の音声レベルが小さなレベルとなり、レベル表示によって示される音声レベルの上限と下限との差も小さくなる。詳細は後述するが、本実施形態では、レベル表示３４７によって示される編集の開始位置の音声レベルを、編集の良否を判定するための閾値とする。
【００８８】
また、ステップＳ２２７の判定の結果、現在、編集の開始位置の設定中でない、即ち、現在、編集の終了位置の設定中である場合に、ボディＣＰＵ２２９は、ビデオ信号出力回路２３３を制御して、バー３２１上に指定範囲を表示させる（Ｓ２５３）。指定範囲は、動画像中の編集対象の部分を示し、ユーザが、編集の開始位置と編集の終了位置とをそれぞれ指定することによって設定される。例えば、ユーザが、図７の時点３２５ａにマーカー３２３を位置させた状態で決定釦２１を押し、その後に時点３２５ｂにマーカー３２３を位置させた状態で決定釦２１を押した場合、時点３２５ａを編集の開始位置とし、時点３２５ｂを編集の終了位置とする。この場合、指定範囲は、時点３２５ａから時点３２５ｂまでの範囲となる。ここで、指定範囲は、図７に示すように、例えばバー３２１の時点３２５ａから３２５ｂまでの範囲３２５の色を変更する等して表示する。
【００８９】
指定範囲の表示後、ボディＣＰＵ２２９は、現時点のマーカー３２３の位置を、編集の終了位置として記憶する（Ｓ２５５）。その後、ボディＣＰＵ２２９は、現時点のマーカー３４５の位置の音声レベルを、編集の終了位置の音声レベルとして記憶する（Ｓ２５７）。
【００９０】
指定範囲が設定された後、ボディＣＰＵ２２９は、ステップＳ２３１において記憶した編集の開始位置の音声レベルとステップＳ２５７において記憶した編集の終了位置の音声レベルとを比較する（Ｓ２５９）。このステップにおいて、ボディＣＰＵ２２９は、編集の開始位置の音声レベルと編集の終了位置の音声レベルとの差を算出する。音声レベルの比較の後、ボディＣＰＵ２２９は、編集の開始位置の音声レベルと編集の終了位置の音声レベルとの差が所定範囲を超えているか否かを判定する（Ｓ２６１）。
【００９１】
ステップＳ２６１の判定の結果、編集の開始位置の音声レベルと編集の終了位置の音声レベルとの差が所定範囲を超えている場合に、ボディＣＰＵ２２９は、例えば表示領域３３１に告知表示を行う（Ｓ２６３）。このステップにおいて、ボディＣＰＵ２２９は、画像処理回路２２７を制御して、例えばフラッシュメモリ２４９に記憶されている告知表示用の表示データを、表示領域３３１に表示中の画像に対応した画像データに合成する。その後、ボディＣＰＵ２２９は、告知表示用のデータを合成した画像データをビデオ信号出力回路２３３に入力して表示を行う。編集の開始位置と終了位置とで音声レベルが大きく異なるような指定範囲を例えば削除してしまうと、削除した部分の前後で音声レベル（音圧）が大きく変化してしまう。このような動画像は、その視聴者に違和感を与える可能性が高い。本実施形態では、このような視聴者に違和感を与えるような編集が行われないよう、実際に編集が行われる前に、編集の結果として音声の接続が悪くなる旨を告知するための告知表示を行う。図１１の参照符号３３３は、告知表示の例を示している。告知表示３３３として表示される文章の内容は、適宜変更可能である。
【００９２】
また、ステップＳ２３７の判定の結果、現在、編集の終了位置の設定後である場合に、ボディＣＰＵ２２９は、ビデオ信号出力回路２３３を制御して、編集画面を更新する（Ｓ２７１）。更新後の編集画面においては、消去釦３０１、コピー釦３０３、取出釦３０５をアクティブ状態とする。アクティブ状態の場合に、消去釦３０１、コピー釦３０３、取出釦３０５への接触が検出された場合には、ボディＣＰＵ２２９は、それぞれの釦に対応した動作を実行する。図１１に示すように、消去釦３０１、コピー釦３０３、取出釦３０５がアクティブ状態のときには、不透明表示としたり、カラー表示としたりする。これにより、ユーザは、消去釦３０１、コピー釦３０３、取出釦３０５がアクティブ状態であることを容易に認知することが可能である。
【００９３】
編集画面の更新後、ボディＣＰＵ２２９は、スイッチ検知回路２５３の出力から、消去釦３０１が操作されたか否か、即ち消去釦３０１の位置にユーザの指３５１が接触しているか否かを判定する（Ｓ２７３）。ステップＳ２７３の判定の結果、消去釦３０１が操作された場合に、ボディＣＰＵ２２９は、指定範囲３２５に対応した動画像データ及び音声データを動画ファイルから消去する（Ｓ２８１）。図１１に示すように、複数の指定範囲３２５が存在している場合には、それぞれの指定範囲３２５に対応した動画像データ及び音声データを消去する。指定範囲３２５の消去の後、ボディＣＰＵ２２９は、ステップＳ２８７の処理を実行する。
【００９４】
また、ステップＳ２７３の判定の結果、消去釦３０１が操作されていない場合に、ボディＣＰＵ２２９は、スイッチ検知回路２５３の出力から、コピー釦３０３が操作されたか否か、即ちコピー釦３０３の位置にユーザの指３５１が接触しているか否かを判定する（Ｓ２７５）。ステップＳ２７５の判定の結果、コピー釦３０３が操作された場合に、ボディＣＰＵ２２９は、指定範囲３２５に対応した動画像データ及び音声データのコピーデータを生成する（Ｓ２８３）。図１１に示すように、複数の指定範囲３２５が存在している場合には、それぞれの指定範囲３２５に対応したコピーデータを生成する。指定範囲３２５のコピーの後、ボディＣＰＵ２２９は、ステップＳ２８７の処理を実行する。
【００９５】
また、ステップＳ２７５の判定の結果、コピー釦３０３が操作されていない場合に、ボディＣＰＵ２２９は、スイッチ検知回路２５３の出力から、取出釦３０５が操作されたか否か、即ち取出釦３０５の位置にユーザの指３５１が接触しているか否かを判定する（Ｓ２７７）。ステップＳ２７７の判定の結果、取出釦３０５が操作された場合に、ボディＣＰＵ２２９は、指定範囲３２５以外の動画像データ及び音声データを消去することによって指定範囲３２５の動画像データ及び音声データを取り出す（Ｓ２８５）。指定範囲３２５の取り出しの後、ボディＣＰＵ２２９は、ステップＳ２８７の処理を実行する。
【００９６】
指定範囲３２５の消去、コピー、又は取り出しの後、ボディＣＰＵ２２９は、消去、コピー、又は取り出し後の動画像データ及び音声データをもとの動画像ファイルとは別の動画像ファイルとして記録媒体２４５に記録する（Ｓ２８７）。その後、ボディＣＰＵ２２９は、ステップＳ２３９の判定を実行する。
【００９７】
以上説明したように、本実施形態によれば、ユーザによって指定された編集の開始位置の音声レベルと編集の終了位置の音声レベルとを比較し、両者の差が所定範囲を超える場合に、編集によって音声の接続が悪くなる旨をユーザに告知するようにしている。この告知を見ることによって、ユーザは、編集の開始位置と編集の終了位置とを改めて指定することができる。このため、動画像の視聴者が違和感を覚えないような編集を容易に行うことが可能である。
【００９８】
また、本実施形態では、編集の開始位置と終了位置とをタッチパネル２３６を用いて指定することが可能である。即ち、ユーザは、動画像及び音声の再生開始からの経過時間を時間軸表示したバー３２１上で編集の開始位置及び終了位置を指定することが可能である。これにより、動画像中の任意の範囲を容易に指定することが可能である。
【００９９】
さらに、瞬間再生釦３０７を押すだけで、マーカー３２３（マーカー３４５）の付近の動画像及び音声が再生される。これにより、ユーザは、動画像中で編集に適した範囲を容易に探すことが可能である。
ここで、図５及び図６の例では、編集に適していない範囲が指定された場合に、その旨をユーザに告知するようにしている。これとは逆に、編集に適している範囲が指定された場合に、その旨をユーザに告知するようにしてもよい。この場合には、ユーザによって指定された編集の開始位置の音声レベルと編集の終了位置の音声レベルとを比較し、両者の差が所定範囲内の場合に、編集によって音声の接続が悪くならない旨をユーザに告知する。
【０１００】
［第２の実施形態］
次に、本発明の第２の実施形態について説明する。第１の実施形態では、編集の開始位置の音声レベルと編集の終了位置の音声レベルとを比較して告知を行うようにしている。これに対し、本実施形態は、編集の開始位置の音声レベル及び編集の終了位置の音声レベルのそれぞれを所定音声レベルと比較して告知を行う例である。
【０１０１】
図１２は、本発明の第２の実施形態における編集動作について示すフローチャートである。編集動作以外の構成及び動作については、第１の実施形態と同様であるので説明を省略する。また、図１２において、ステップＳ２０１〜Ｓ２１９の動作については図５と同様であるので説明を省略する。
【０１０２】
ステップＳ２１９において、音声波形の表示情報３４３を更新した後、ボディＣＰＵ２２９は、図１３に示すようにして、編集に適した音声レベルの上下限を示すレベル表示３４７ａを表示領域３４１に表示させる（Ｓ３０１）。第２の実施形態においては、レベル表示３４７ａによって示される音声レベルが所定レベルであって変化しない。この所定レベルは、例えば図１０（ｂ）や図１０（ｄ）のレベル表示３４７で示したような、人が十分に静音であると感じられるようなレベルに設定する。
【０１０３】
レベル表示３４７ａを表示させた後、ボディＣＰＵ２２９は、現在のマーカー３２３の位置（即ちマーカー３４５の位置）に対応した音声レベルを検出する（Ｓ３０３）。その後、ボディＣＰＵ２２９は、スイッチ検知回路２５３の出力から、決定スイッチがオン状態か否かを判定する（Ｓ３０５）。ステップＳ３０５における判定の結果、決定スイッチがオン状態でない場合に、ボディＣＰＵ２２９は、図６のステップＳ２３３以後の処理を実行する。図６の処理については、説明を省略する。
【０１０４】
ステップＳ３０５における判定の結果、決定スイッチがオン状態である場合に、ボディＣＰＵ２２９は、現在、編集の開始位置の設定中であるか否かを判定する（Ｓ３０７）。ステップＳ３０７の判定の結果、現在、編集の開始位置の設定中である場合に、ボディＣＰＵ２２９は、現時点のマーカー３２３の位置を、編集の開始位置として記憶する（Ｓ３０９）。その後、ボディＣＰＵ２２９は、現時点のマーカー３４５の位置の音声レベルを、編集の開始位置の音声レベルとして記憶する（Ｓ３１１）。
【０１０５】
続いて、ボディＣＰＵ２２９は、ステップＳ３１１において記憶した編集の開始位置の音声レベルと所定音声レベルとを比較する（Ｓ３１３）。このステップにおいて、ボディＣＰＵ２２９は、編集の開始位置の音声レベルと所定音声レベルとの差を算出する。音声レベルの比較の後、ボディＣＰＵ２２９は、編集の開始位置の音声レベルと所定音声レベルとの差が所定範囲を超えているか否かを判定する（Ｓ３１５）。
【０１０６】
ステップＳ３１５の判定の結果、編集の開始位置の音声レベルと所定レベルとの差が所定範囲を超えている場合に、ボディＣＰＵ２２９は、ビデオ信号出力回路２３３を制御して例えば表示領域３３１に告知表示を行う（Ｓ３１７）。この告知表示は、図１１の告知表示３３３と同様でよい。また、ステップＳ３１５の判定の結果、編集の開始位置の音声レベルと所定レベルとの差が所定範囲内の場合に、ボディＣＰＵ２２９は、ステップＳ３１７の処理をスキップする。
【０１０７】
また、ステップＳ３０７の判定の結果、現在、編集の開始位置の設定中でない、即ち、編集の終了位置の設定中である場合に、ボディＣＰＵ２２９は、ビデオ信号出力回路２３３を制御して、バー３２１上に指定範囲を表示させる（Ｓ３２１）。
指定範囲の表示後、ボディＣＰＵ２２９は、現時点のマーカー３２３の位置を、編集の終了位置として記憶する（Ｓ３２３）。その後、ボディＣＰＵ２２９は、ステップＳ３１１以後の処理を実行する。即ち、第２の実施形態では、編集の開始時点の音声レベルと編集の終了時点の音声レベルのそれぞれを所定音声レベルと比較し、それぞれの比較結果に対して告知表示を行う。
【０１０８】
以上説明したように、本実施形態によれば、ユーザによって指定された編集の開始位置の音声レベル及び編集の終了位置の音声レベルのそれぞれを所定音声レベルと比較し、編集の開始位置の音声レベル及び編集の終了位置の音声レベルの何れかと所定音声レベルとの差が所定範囲を超える場合に、編集によって音声の接続が悪くなる旨をユーザに告知するようにしている。この告知を見ることによって、ユーザは、編集の開始位置と編集の終了位置とを改めて指定することができる。このため、動画像の視聴者が違和感を覚えないような編集を容易に行うことが可能である。
【０１０９】
また、本実施形態における所定音声レベルは、人が十分に静音であると感じられるようなレベルである。このため、図９（ａ）や図９（ｃ）で示すような動画像中の有音の部分を削除したりしようとすると告知が行われる。これにより、ユーザは、図９（ｂ）や図９（ｄ）で示すような動画像中の無音の部分を選択して編集作業をすることが可能である。
【０１１０】
ここで、第２の実施形態においても、編集に適している範囲が指定された場合に、その旨をユーザに告知するようにしてもよい。この場合には、ユーザによって指定された編集の開始位置の音声レベル及び編集の終了位置の音声レベルのそれぞれと所定音声レベルとを比較し、それぞれの差が何れも所定範囲内の場合に、編集によって音声の接続が悪くならない旨をユーザに告知する。
【０１１１】
［第３の実施形態］  
次に、本発明の第３の実施形態について説明する。第３の実施形態は、動画像中の編集に適した部分を検出して自動的に編集を行う例である。
図１４及び図１５は、本発明の第３の実施形態における編集動作について示すフローチャートである。編集動作以外の構成及び動作については、第１の実施形態と同様であるので説明を省略する。
【０１１２】
動画像の再生中に編集釦１８が押された場合に、ボディＣＰＵ２２９は、ビデオ信号出力回路２３３を介して液晶モニタ２６に編集画面を表示させる（Ｓ４０１）。
図１６は、第３の実施形態における編集画面の例を示した図である。第３の実施形態においては、編集画面上に表示させるソフトウェア釦の内容が第２の実施形態と異なっている。この他は、第２の実施形態と同様である。  
図１６に示す自動消去釦３０１ａ、自動取出釦３０５ａ、レベル変更釦３１１、解除釦３１３、戻る釦３０９は、ソフトウェア釦であって、それぞれ、タッチパネル２３６による操作が可能になされている。即ち、それぞれの釦位置にユーザの指３５１が接触したことを検出した場合に、ボディＣＰＵ２２９は、接触位置に該当する釦の機能に対応した動作を実行する。
【０１１３】
ここで、ステップＳ４０１の時点では、自動消去釦３０１ａ、自動取出釦３０５ａ、レベル変更釦３１１、解除釦３１３が、非アクティブ状態となっている。非アクティブ状態の場合には、自動消去釦３０１ａ、自動取出釦３０５ａ、レベル変更釦３１１、解除釦３１３への接触が検出されたとしても、ボディＣＰＵ２２９は、それぞれの釦に対応した動作を実行しない。
【０１１４】
図１６に示すような編集画面を表示させた後、ボディＣＰＵ２２９は、スイッチ検知回路２５３の出力から、その他の各種スイッチ２５５の状態を検出する（Ｓ４０３）。続いて、ボディＣＰＵ２２９は、スイッチ検知回路２５３の出力から、タッチパネル２３６の状態を検出する（Ｓ４０５）。
【０１１５】
各種スイッチ２５５の状態及びタッチパネル２３６の状態を検出した後、ボディＣＰＵ２２９は、編集釦１８が操作されたか、即ち編集スイッチがオフ状態か否かを判定する（Ｓ４０７）。ステップＳ４０７の判定の結果、編集スイッチがオフ状態である場合に、ボディＣＰＵ２２９は、図１４及び図１５の編集動作を終了させる。
【０１１６】
また、ステップＳ４０７の判定の結果、編集スイッチがオフ状態でない場合に、ボディＣＰＵ２２９は、編集画面の表示更新を行う（ステップＳ４０８）。このステップにおいて、ボディＣＰＵ２２９は、自動消去釦３０１ａ、自動取出釦３０５ａ、レベル変更釦３１１、解除釦３１３をアクティブ状態とする。そして、ボディＣＰＵ２２９は、これらの釦がアクティブ状態となったことをユーザが認知できるようにこれらの釦の表示を変更する。
【０１１７】
編集画面の表示更新の後、ボディＣＰＵ２２９は、ユーザによって編集モードが決定されたか否かを判定する（Ｓ４０９）。このステップにおいて、ボディＣＰＵ２２９は、自動消去釦３０１ａ、自動取出釦３０５ａ、レベル変更釦３１１の何れかが操作されたか否かを判定する。
【０１１８】
ステップＳ４０９の判定の結果、編集モードが決定された場合、即ち自動消去釦３０１ａ、自動取出釦３０５ａ、レベル変更釦３１１の何れかが操作された場合に、ボディＣＰＵ２２９は、決定された編集モードが消去モードであるか否か、即ち自動消去釦３０１ａが操作されたか否かを判定する（Ｓ４１１）。Ｓ４１１の判定の結果、決定された編集モードが消去モードである場合に、ボディＣＰＵ２２９は、選択中の動画ファイルに記録された音声データの中で、所定時間（例えば３秒）以上の間、音声レベルが所定音声レベル（レベル表示３４７ａで示される音声レベル）未満となっている範囲を指定範囲として検出する（Ｓ４２１）。条件を満たす範囲が複数存在している場合には、条件を満たす全ての範囲を検出する。ここで、本実施形態では、所定時間を例えば３秒としたが、メニュー画面から、ユーザの好みに応じて使いやすいように所定時間を１秒から１０秒の範囲で設定するように構成してもよい。
【０１１９】
指定範囲を検出した後又はステップＳ４１１において編集モードが消去モードでない場合に、ボディＣＰＵ２２９は、決定された編集モードが取出モードであるか否か、即ち自動取出釦３０５ａが操作されたか否かを判定する（Ｓ４１３）。Ｓ４１３の判定の結果、決定された編集モードが取出モードである場合に、ボディＣＰＵ２２９は、選択中の動画ファイルに記録された音声データの中で、所定時間（例えば３秒）以上の間、音声レベルが所定音声レベル（レベル表示３４７ａで示される音声レベル）未満となっている範囲を指定範囲として検出する（Ｓ４２３）。
【０１２０】
指定範囲を検出した後又はステップＳ４１３において編集モードが取出モードでない場合に、ボディＣＰＵ２２９は、決定された編集モードがレベル変更モードであるか否か、即ちレベル変更釦３１１が操作されたか否かを判定する（Ｓ４１５）。Ｓ４１５の判定の結果、決定された編集モードがレベル変更モードである場合に、ボディＣＰＵ２２９は、例えばユーザのタッチパネル操作に従って所定音声レベルの大きさ（レベル表示３４７ａで示される音声レベルのピークからピークまでの幅）を変更する（Ｓ４２５）。その後、ボディＣＰＵ２２９は、ビデオ信号出力回路２３３を制御して、変更後のレベル表示３４７ａを表示領域３４１に表示させる（Ｓ４２７）。
【０１２１】
続いて、ボディＣＰＵ２２９は、スイッチ検知回路２５３の出力から、その他の各種スイッチ２５５の状態を検出する（Ｓ４３１）。続いて、ボディＣＰＵ２２９は、スイッチ検知回路２５３の出力から、タッチパネル２３６の状態を検出する（Ｓ４３３）。
【０１２２】
各種スイッチ２５５の状態及びタッチパネル２３６の状態を検出した後、ボディＣＰＵ２２９は、タッチパネル２３６上に設定されたマーカーエリア３２７内に、ユーザの指３５１が接触しているか否かを判定する（Ｓ４３５）。ステップＳ４３５の判定の結果、マーカーエリア３２７内にユーザの指３５１が接触している場合に、ボディＣＰＵ２２９は、マーカー３２３の表示位置をユーザの指３５１の接触位置に更新する（Ｓ４３７）。
【０１２３】
マーカー３２３の表示位置を更新した後、ボディＣＰＵ２２９は、再生中の動画像ファイルにおけるマーカー３２３の時点の駒に対応した画像データを読み込む（Ｓ４３９）。そして、ボディＣＰＵ２２９は、ビデオ信号出力回路２３３を制御して、新たに読み込んだ画像データに対応した静止画像を表示領域３３１に表示させる（Ｓ４４１）。
【０１２４】
続いて、ボディＣＰＵ２２９は、再生中の動画像ファイルにおけるマーカー３２３の前後１.５秒の範囲に対応した音声データを読み込む（Ｓ４４３）。そして、ボディＣＰＵ２２９は、読み込んだ音声データを、画像処理回路２２７を介して表示情報３４３に変換する（Ｓ４４５）。その後、ボディＣＰＵ２２９は、ビデオ信号出力回路２３３を制御して、新たに得られた表示情報３４３を表示領域３４１に表示させる（Ｓ４４７）。
【０１２５】
音声波形の表示情報３４３を更新した後、ボディＣＰＵ２２９は、解除釦３１３が操作されたか否かを判定する（Ｓ４４９）。Ｓ４４９の判定の結果、解除釦３１３が操作された場合に、ボディＣＰＵ２２９は、その時点でマーカー３２３が位置している指定範囲の設定を解除する（Ｓ４６１）。これに伴って編集画面上でも指定範囲の表示を消去する。
【０１２６】
指定範囲の設定を解除した後、ステップＳ４３５の判定においてマーカーエリア３２７への接触がない場合、又はステップＳ４４９の判定において解除釦３１３が操作されていない場合、ボディＣＰＵ２２９は、スイッチ検知回路２５３の出力から、決定スイッチがオン状態であるか否かを判定する（Ｓ４５１）。ステップＳ４５１における判定の結果、決定スイッチがオン状態でない場合に、ボディＣＰＵ２２９は、処理をステップＳ４３１に戻す。
【０１２７】
また、ステップＳ４５１における判定の結果、決定スイッチがオン状態である場合に、ボディＣＰＵ２２９は、編集モードが消去モードであるか否かを判定する（Ｓ４５３）。Ｓ４５１の判定の結果、編集モードが消去モードである場合に、ボディＣＰＵ２２９は、指定範囲に対応した動画像データ及び音声データを動画ファイルから消去する（Ｓ４６３）。指定範囲の消去の後、ボディＣＰＵ２２９は、ステップＳ４６７の処理を実行する。
【０１２８】
また、ステップＳ４５３の判定の結果、編集モードが消去モードでない場合に、ボディＣＰＵ２２９は、編集モードが取出モードであるか否かを判定する（Ｓ４５５）。Ｓ４５５の判定の結果、編集モードが取出モードである場合に、ボディＣＰＵ２２９は、指定範囲以外の動画像データ及び音声データを消去することによって指定範囲の動画像データ及び音声データを取り出す（Ｓ４６５）。指定範囲の取り出しの後、ボディＣＰＵ２２９は、ステップＳ４６７の処理を実行する。
【０１２９】
指定範囲の消去又は取り出しの後、ボディＣＰＵ２２９は、消去又は取り出し後の動画像データ及び音声データをもとの動画像ファイルとは別の動画像ファイルとして記録媒体２４５に記録する（Ｓ４６７）。その後、ボディＣＰＵ２２９は、ステップＳ４５７の判定を実行する。
【０１３０】
画像ファイルの記録後又はステップＳ４５５において編集モードが決定されていない場合に、ボディＣＰＵ２２９は、スイッチ検知回路２５３の出力から、戻る釦３０９が操作されたか否かを判定する（Ｓ４５７）。ステップＳ４５７の判定の結果、戻る釦３０９が操作された場合、ボディＣＰＵ２２９は、処理をステップＳ４０３に戻す。
【０１３１】
ステップＳ４５７の判定において戻る釦３０９が操作されていない場合に、ボディＣＰＵ２２９は、編集スイッチがオン状態か否かを判定する（Ｓ４５９）。ステップＳ４５９の判定の結果、編集スイッチがオン状態でない場合に、ボディＣＰＵ２２９は、処理をステップＳ４３１に戻す。一方、ステップＳ４５９の判定の結果、編集スイッチがオン状態である場合に、ボディＣＰＵ２２９は、図１４及び図１５の編集動作を終了させる。
【０１３２】
以上説明したように、本実施形態によれば、動画像ファイルに記録されている音声データの音声レベルを所定音声レベルと比較し、所定音声レベル未満の範囲を検出している。これにより、カメラにおいて検出した指定範囲を自動的に消去したり、取り出したりすることが可能である。
【０１３３】
以上実施形態に基づいて本発明を説明したが、本発明は上述した実施形態に限定されるものではなく、本発明の要旨の範囲内で種々の変形や応用が可能なことは勿論である。また、前述の動作の説明において、便宜上「まず」、「次に」等を用いて動作を説明しているが、この順で動作を実施することが必須であることを意味するものではない。
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【０１３４】
１０…パワースイッチレバー、１１…レリーズ釦、１２…モードダイヤル、１３…インデックス表示釦、１４…拡大釦、１５…動画記録釦、１６…再生釦、１７…メニュー釦、１８…編集釦、１９…削除釦、２０…十字釦、２１…決定釦、２６…液晶モニタ、２７…スピーカ開口部、２８…マイク開口部、１００…交換レンズ、１０１ａ，１０１ｂ…撮影レンズ、１０１…撮影光学系、１０３…絞り、１０５…光学位置検出機構、１０７…光学系駆動機構、１０９…絞り駆動機構、１１０…エンコーダ、１１１…レンズＣＰＵ、１１２…距離環、２００…カメラ本体、２０３…シャッタ、２０５…防塵フィルタ、２０７…圧電素子、２０９…赤外カットフィルタ、２１０…光学的ローパスフィルタ、２１１…防塵フィルタ駆動回路、２１３…シャッタ駆動機構、２２１…撮像素子、２２３…撮像素子駆動回路、２２５…前処理回路、２２６…ＡＦ回路、２２７…画像処理回路、２２９…シーケンスコントローラ（ボディＣＰＵ）、２３１…圧縮伸張回路、２３３…ビデオ信号出力回路、２３５…液晶モニタ駆動回路、２３６…タッチパネル、２３７…ＳＤＲＡＭ制御回路、２３８…ＳＤＲＡＭ、２３９…入出力回路、２４１…通信回路、２４３…記録媒体制御回路、２４５…記録媒体、２４７…フラッシュメモリ制御回路、２４９…フラッシュメモリ、２５３…スイッチ検知回路、２５５…各種スイッチ、２５７…パワースイッチ、２５９…着脱検知スイッチ、２６０…ブレ補正駆動機構、２６１…データバス、２６２…カメラ用ＩＣ、２７１…音声圧縮伸張回路、２７３…オーディオ処理回路、２７５…スピーカ、２７７…マイクロホン（マイク）、２９０…撮像素子ユニット、２９６…アクチュエータ駆動回路、２９７…ブレ検出回路、２９７ａ…角速度センサ、２９７ｂ…角速度検出回路、３００…通信接点
【図１】
0005769523.tif 000002
【図２】
0005769523.tif 000003
【図３】
0005769523.tif 000004
【図４】
0005769523.tif 000005
【図５】
0005769523.tif 000006
【図６】
0005769523.tif 000007
【図７】
0005769523.tif 000008
【図８】
0005769523.tif 000009
【図９】
0005769523.tif 000010
【図１０】
0005769523.tif 000011
【図１１】
0005769523.tif 000012
【図１２】
0005769523.tif 000013
【図１３】
0005769523.tif 000014
【図１４】
0005769523.tif 000015
【図１５】
0005769523.tif 000016
【図１６】
0005769523.tif 000017